(57)【要約】【課題】記録媒体に格納したデータを容易かつ正確に把握することができる。【解決手段】ＰＣ１２が、入力された格納データ及び格納データを容易に把握可能な表示データを生成し、書込読取装置１６へ送信する。書込読取装置１６は、格納データを格納するための記録層２０と表示データを表示するための書込及び消去が可能な表示層２２とを積層した記録メディア１８に、格納データ及び表示データを書込む。格納データは記録層２０へ書込まれ、表示データは表示層２２へ書込まれる。従って、記録メディア１８に格納した格納データを容易かつ正確に把握することができる。【選択図】  図３
2004164764.tif 000002
【特許請求の範囲】
【請求項１】
格納データを格納するための格納層と、前記格納データに関連する表示データを表示するための書き込み、及び書き込まれた表示データの少なくとも一部の書き換えが可能な表示層とを有した記録媒体。
【請求項２】
前記表示層は、電子ペーパーで構成されたことを特徴とする請求項１に記載の記録媒体。
【請求項３】
格納データを格納するための格納層と、前記格納データに関連する表示データを表示するための書き込み、及び書き込まれた表示データの少なくとも一部の書き換えが可能な表示層とを有した記録媒体の前記格納層へ、前記格納データを格納する格納手段と、
前記表示データを前記記録媒体の前記表示層へ書き込む書込手段と、
を備えた書込読取装置。
【請求項４】
前記格納手段は、前記表示データを前記格納層へ更に格納することを特徴とする請求項３に記載の書込読取装置。
【請求項５】
前記記録媒体の格納層に格納されている格納データと、これから格納すべき格納データとの差異を検出する検出手段と、
前記検出手段の検出結果に基づいて、前記格納済の格納データに対する差異格納データを生成すると共に、前記表示データに対する差異表示データを生成する生成手段と、を備え、
前記格納手段は、前記差異格納データを前記格納層へ格納し、前記書込手段は、前記差異表示データを前記表示層へ書き込むようにした請求項３または請求項４に記載の書込読取装置。
【請求項６】
前記格納手段は、前記差異表示データを前記格納層へ更に格納することを特徴とする請求項５に記載の書込読取装置。
【請求項７】
前記格納データ及び前記表示データを記憶するデータ記憶手段を更に備えたことを特徴とする請求項３乃至請求項６の何れか一項に記載の書込読取装置。
【請求項８】
前記表示層は電子ペーパーで構成されたことを特徴とする請求項３乃至請求項７の何れか一項に記載の書込読取装置。
【発明の詳細な説明】
【０００１】
【発明の属する技術分野】
本発明は、書込読取装置に係り、特にＣＤ−ＲＷやＤＶＤ等の書込読取装置に関する。
【０００２】
【従来の技術】
従来、追記可能な記録媒体としては、ＣＤ―ＲＷ、ＤＶＤ等の不揮発性メモリが知られている。これらの記録媒体にデータを書き込むには、一般的に専用のリーダ／ライタが使用される。このリーダ／ライタ（以下、Ｒ／Ｗという）としては、パーソナルコンピュータ（以下、ＰＣという）に内蔵又はケーブルを介して外部接続されたＣＤドライブ、及びＤＶＤドライブ等が使用されている。また、このような記録媒体に書き込まれたデータの内容は、記録媒体を上記専用のＲ／Ｗを使用することによって、確認することができる。
【０００３】
これらの記録媒体に書き込まれたデータの内容を記録媒体単体で確認するために、記録媒体の内容をラベルシールへ印刷して出力する技術が提案されている。（例えば、特許文献１参照）。この技術によれば、印刷されたラベルシールを記録媒体に貼りつければ、記録媒体を専用のＲ／Ｗに装着することなく、記録媒体に記録されたデータを記録媒体単体で確認することができる。
【０００４】
【特許文献１】
特開２０００−１３２９４６号公報  （第３−４頁、第１図）
【０００５】
【発明が解決しようとする課題】
しかしながら、上記従来技術では、記録媒体へ記録媒体の内容を印刷したラベルシールを添付した後に、記録媒体の内容を変更した場合、ラベルシールに印刷された内容と記録媒体の内容との不一致が生じる場合がある。
【０００６】
本発明は上記問題点を解決するためになされたもので、記録媒体に設けられた、記録媒体の内容を表示する表示媒体の表示内容の信頼性を確保することができる書込読取装置を提供することを目的とする。
【０００７】
【課題を解決するための手段】
上記目的を達成するために本発明の記録媒体は、格納データを格納するための格納層と、前記格納データに関連する表示データを表示するための書き込み、及び書き込まれた表示データの少なくとも一部の書き換えが可能な表示層とを有したことを特徴としている。
【０００８】
本発明の記録媒体は、格納層及び表示層を有する構成となっている。格納層は、格納データを格納するためのものである。表示層は、格納データに関連する表示データを表示するためのものであって、書き込み及び書き込まれた表示データの少なくとも一部の書き換えが可能なものである。
【０００９】
従って、記録媒体は、格納層に格納データを格納するとともに、表示層に格納データに関連する表示データを表示することができるので、表示データを視認することによって、格納データを確認することができる。また、表示層は、表示層に書き込まれた表示データの少なくとも一部の書き換えが可能であるため、格納データが変更された場合等に、書き込まれた表示データを変更することができる。
【００１０】
また、本発明の記録媒体の表示層は、電子ペーパーで構成することができる。電子ペーパーは、周知のように薄型であるので、記録媒体は、格納層の厚みから微少の増加の厚みで形成することができ、扱いが容易な記録媒体を提供できる。
【００１１】
本発明の書込読取装置は、格納データを格納するための格納層と、前記格納データに関連する表示データを表示するための書き込み、及び書き込まれた表示データの少なくとも一部の書き換えが可能な表示層とを有した記録媒体の前記格納層へ、前記格納データを格納する格納手段と、前記表示データを前記記録媒体の前記表示層へ書き込む書込手段と、を備えたことを特徴としている。
【００１２】
本発明の書込読取装置は、格納手段を備えており、格納データを記録媒体の格納層へ格納する。格納データに関連する表示データは、書込手段によって、記録媒体の表示層に書き込まれる。また、表示層に書き込まれた表示データは、書込手段によって、書き込まれた表示データの少なくとも一部が書き換えられる。
【００１３】
従って、本発明の書込読取装置は、記録媒体の格納層に格納データを格納し、記録媒体の表示層に格納データに関連する表示データを書き込むことができるので、格納データと表示データとの不一致が生じず、表示層に書き込まれた表示データの表示内容の信頼性を確保することができる。
【００１４】
前記格納手段は、前記表示データを前記格納層へ更に格納することができる。このように、格納データとともに表示データを記録媒体の格納層へ格納すれば、格納層に格納された表示データを読み取ることによって、表示データを容易に把握することができる。
【００１５】
また、記録媒体の格納層に書込まれた格納データについて、追記または消去などの更新処理を行うと、変更された格納データの内容と表示層に表示される表示データとの関連がなくなる場合がある。
【００１６】
そこで、本発明の書込読取装置は、前記記録媒体の格納層に格納されている格納データと、これから格納すべき格納データとの差異を検出する検出手段と、前記検出手段の検出結果に基づいて、前記格納済の格納データに対する差異格納データを生成すると共に、前記表示データに対する差異表示データを生成する生成手段と、を備え、前記格納手段は、前記差異格納データを前記格納層へ格納し、前記書込手段は、前記差異表示データを前記表示層へ書き込むことができる。
【００１７】
検出手段では、記録媒体に格納する格納データについて、格納済のものとこれら格納すべきものについての差異を検出する。この差異は、例えば、格納データの変更箇所及び変更内容に対応する。この変更箇所及び変更内容は、生成手段によって生成される。格納手段がこの生成された差異格納データを格納層へ格納し、書込手段が差異表示データを表示層へ書き込むことで、記録媒体の格納層及び表示層に、変更箇所及び変更内容が反映される。従って、格納データの更新に伴って、表示データを更新された格納データに対応する内容へ変更することができるので、表示媒体の表示内容の信頼性を確保することができる。
【００１８】
前記格納手段は、前記差異表示データを前記格納層へ更に格納することができる。このため、格納データの更新に伴って、格納層へ格納されている表示データを更新することができる。
【００１９】
また、格納データの更新を行うときには、格納済の格納データと更新する格納データとの差異を検出するために、記録媒体の格納層に格納されている格納済の格納データを把握する必要がある。そこで、本発明の書込装置が、前記格納データ及び前記表示データを記憶するデータ記憶手段を更に備えるようにすれば、格納済の格納データを記憶手段から読み取ることができるので、記録媒体からの読み出しは不要である。また、更新毎に、その履歴を記憶するようにすれば、過去に格納した格納データ及び表示データの履歴管理を行うことができる。
【００２０】
また、本発明の記録媒体の表示層は、電子ペーパーで構成することができる。電子ペーパーは、周知のように薄型であるので、記録媒体は、格納層の厚みから微少の増加の厚みで形成することができ、扱いが容易な記録媒体を提供できる。
【００２１】
【発明の実施の形態】
本発明の書込読取装置に係る一の実施の形態を図面に基づき説明する。本実施の形態は、パーソナルコンピュータ（以下、ＰＣという）と書込読取装置からなる書込読取システムに本発明を適用したものである。
【００２２】
図１には、本実施の形態に係る書込読取システムの全体構成を示した。本実施の形態では、書込読取システム１０は、ＰＣ１２、及び書込読取装置１６から構成されている。ＰＣ１２と書込装置１６とは、互いにケーブルを介して接続され、データやコマンドの授受が可能な構成とされている。
【００２３】
ＰＣ１２は、主に、後述する記録メディア１８に格納するための格納データ及び後述する格納データの内容を表す表示データを記録メディア１８に書き込むために、ユーザが操作するためのものである。ＰＣ１２は、入力機器１４、表示機器１３、及び本体１５から構成されている。本体１５は、主に、書込読取装置１６とのデータやコマンド授受の制御を行うためのものである。入力機器１４は、ユーザが本体１５に対して各種指示入力を行うためのものである。本実施の形態では、入力機器１４としては、キーボード１４Ａとマウス１４Ｂとが機能している。表示機器１３は、各種指示メニュー等を表示するためのものであり、一例としてはＬＣＤやＣＲＴ等がある。書込読取装置１６は、追記可能な記録メディア１８を装着可能であり、主に、装着された記録メディア１８に対して、後述する格納データ及び後述する表示データの書込み、また記録メディア１８に記憶された格納データの読み取り等の処理を行うためのものである。
【００２４】
記録メディア１８の一例には、ＣＤ−Ｒ、ＣＤ−ＲＷ、及びＤＶＤ等がある。図２には、記録メディア１８の断面図の一例を示した。記録メディア１８は、光や磁気によってデータが書き換え可能な記録層２０に表示層２２が積層された構成となっている。表示層２２は、記録層２０に格納された格納データの内容を表す表示データを表示するためのものであり、シート状に形成されかつ、書き換え可能ないわゆる電子ペーパーで代表される表示媒体である。表示層２２に表示された表示データは、視認することができる。表示層２２の一例としては、熱処理によりデータを記録したり消去したりする熱記録媒体や、光処理、すなわち光照射によってデータを記録したり消去したりする光記録媒体、及びインクを付加または白インクを付加することによりデータを印字または消去するインク記録媒体等がある。
【００２５】
本実施の形態では記録メディア１８として、本発明を達成するために光記録媒体を採用する。一例としては、図２に示す技術が知られている。この場合、光記録媒体としての表示層２２の断面拡大図２４に示すように、表示層２２は、光吸収層２４Ｄに基盤２４Ａと基盤２４Ａとに挟まれた一対の透明電極層２４Ｂと、透明電極層２４に挟まれたコレステリック液晶層２４Ａとが、積層された構成となっている。このような表示層２２によれば、光をＸ方向から照射した状態で、透明電極２４Ｂにパルスを印加することで、コレステリック液晶層２４Ｃの液晶の配向が変化し、この変化によって液晶の螺旋ピッチに応じた色光を選択反射することができ、光吸収層２４Ｄによってデータの表示／非表示を実現することができるようになっている。
【００２６】
なお、記録メディア１８が本発明の記録媒体に相当し、記録層２０が本発明の格納層に相当し、表示層２２が本発明の表示層に相当する。
【００２７】
図３には、本実施の形態に係る書込読取システム１０の主要構成をブロック図として示した。ＰＣ１２は、制御部１２Ａ、操作部１２Ｂ、表示部１２Ｃ、記憶部１２Ｄ、及び通信部１２Ｅから構成されている。制御部１２Ａは、図示しないマイクロコンピュータを含んで構成されており、上記操作部１２Ｂ、表示部１２Ｃ、記憶部１２Ｄ、及び通信部１２Ｅの各々と接続され、互いにデータやコマンドの授受が可能な構成とされている。
【００２８】
制御部１２Ａは、主に、書込読取装置１６に装着された記録メディア１８に対して後述する書込みデータの作成及び書込指示等を行う機能部であり、後述する処理ルーチンを記憶した図示しないメモリを含んでいる。この制御部１２Ａは、図示を省略したＣＰＵ、ＲＯＭ、及びＲＡＭからなるマイクロコンピュータで構成されている。なお、処理ルーチンは、図示しないＲＯＭやＲＡＭに記憶しても良い。また、後述する記憶部１２Ｄに記憶しても良い。
【００２９】
表示部１２Ｃは、後述する書込データ及び各種入力項目等を表示するためのものであり、表示部１２Ｃとして表示機器１３が機能している。操作部１２Ｂは、ＰＣ１２で指示入力するためのものであり、操作部１２Ｂとして入力機器１４が機能している。記憶部１２Ｄは、後述する書込みデータや後述する変更箇所を特定するためのメモリデータなどを記憶するためのものである。通信部１２Ｅは、後述する書込みデータ、及び各種指示コマンド等の各種データを書込読取装置１６へ送信または受信するためのものである。通信部１２Ｅは、ケーブルなどの有線または無線によって書込読取装置１６とデータを送受信するための図示しないインターフェース機能を含んでいる。
【００３０】
書込読取装置１６は、制御部１６Ａ、操作部１６Ｂ、通信部１６Ｃ、表示層処理部１６Ｄ、及びＣＤ−Ｒ処理部１６Ｅから構成されている。制御部１６Ａは、図示しないマイクロコンピュータを含んで構成されており、上記操作部１６Ｂ、通信部１６Ｃ、表示層処理部１６Ｄ、及びＣＤ−Ｒ処理部１６Ｅの各々と接続され、互いにデータやコマンドの授受が可能な構成とされている。
【００３１】
制御部１６Ａは、主に、書込読取装置１６に装着された記録メディア１８に対してＰＣ１２からの指示に従って表示層処理部１６Ｄ及びＣＤ―Ｒ処理部１６Ｅの制御を行う機能部であり、後述する処理ルーチンを記憶した図示しないメモリを含んでいる。この制御部１６Ａは、図示を省略したＣＰＵ、ＲＯＭ、及びＲＡＭからなるマイクロコンピュータで構成されている。なお、処理ルーチンは、図示しないＲＯＭに記憶しても良い。
【００３２】
操作部１２Ｂは、書込読取装置１６に装着された記録メディア１８の装填や取り出し指示等の指示入力をするためのものである。通信部１６Ｃは、後述する書込みデータ及び各種指示コマンド等の各種データをＰＣ１２から受信または送信するためのものであり、ケーブルなどの有線または無線によってＰＣ１２とデータを送受信するための図示しないインターフェース機能を含んでいる。
【００３３】
表示層処理部１６Ｄは、記録メディア１８の表示層２２に表示データを書き込むためのものである。表示層処理部１６Ｄは、光源３０、液晶等のスイッチング素子３２、及び撮像レンズ３４から構成されている。上記光源３０、及びスイッチング素子３２は、制御部１６Ａに接続され、互いにデータやコマンドの授受が可能な構成とされている。スイッチング素子３２は、制御部３２から受信したデータを表示するためのものである。光源３０は、制御部１６Ａの制御によって、レンズ３４を介して、スイッチング素子３２に表示された画像の光学パターンを表示層２２に投影するためのものである。投影された画像の光学映像は、表示層２２に光書込みされる。この光書込は、例えば、表示層２２に、図示しない電圧印加手段より電圧を供給するとともに、画像様に光照射すると、その画像パターンに従って目視で認識できる表示データが表示層２２に表示される。
【００３４】
ＣＤ−Ｒ処理部１６Ｅは、記録メディア１８の記録層２０に格納データを格納する、すなわち書き込むまたは、記憶された記憶データを読み取るためのものである。ＣＤ−Ｒ処理部１６Ｅは、モータ４０、光ピックアップ４２、及び駆動装置４６から構成されている。上記モータ及び光ピックアップ４２は駆動部４６に接続されており、また駆動部４６は制御部１６Ａに接続されており、互いにデータやコマンドの授受が可能な構成となっている。駆動装置４６は、制御部１６Ａの制御によってモータ４０を駆動するとともに、光ピックアップ４２のレーザ光を記録層２０に向けて照射する。これによって、ＣＤ−Ｒ処理部１６Ｅは、記録層２０にデータの読み書きをすることができるようになっている。
【００３５】
次に、上記実施の形態の作用を説明する。
【００３６】
本実施の形態では、ＰＣ１２では、ユーザによって記録メディア１８に記録するための格納データが用意される。格納データは記憶部１２Ｄに予め記憶するようにしてもよいし、図示を省略したフロッピー（Ｒ）ディスク等の記憶媒体から入力されるようにしてもよい。用意された格納データは、書込読取装置１６に装着された記録メディア１８に書込まれ、書込まれた格納データに基づくデータが表示部１２Ｃに表示される。格納データは、本実施の形態では、一例として図６に示すようなツリー構成３２となっており、その表示形態３０が表示層２２に表示されるべく記録される。
【００３７】
また、本実施の形態では、記録メディア１８の記録層２０としてデータの書き換えが可能なＣＤ―ＲＷを使用した場合を説明する。また、記録メディア１８の表示層２２として、光照明により書込みが可能な上記電子ペーパーを使用した場合を説明する。
【００３８】
ＰＣ１２での処理を具体的に説明するために、図４には、ＰＣ１２で実行される処理ルーチンを示した。
【００３９】
ＰＣ１２の図示しない電源スイッチによりＰＣ１２に電源が投入されるとステップ１００へ進む。ステップ１００では、記録メディア１８のデータ更新を判断する。この判断は、ユーザが記録メディア１８に格納済みの格納データを変更して、再度格納データを書込もうとする指示がなされたかどうかで判断する。このデータ更新指示の判断は、例えば、表示部１２Ｃに、格納データの更新に関する項目を含むメニュー項目を表示する。この表示された格納データの更新の有無について、ユーザに対して入力を促し、操作部１２Ｂによって、格納データの更新の指示がなされたときに出力されるデータ更新指示信号を読み取ることで判断すればよい。
【００４０】
ステップ１００で否定され、データ更新ではない場合、すなわち記録層２０へ新規に格納データを書き込む場合、ステップ１０２へ進み、書込データ作成処理が行なわれる。なお、記録層２０に、全てのデータを書き直す書込み指示の場合にも、ステップ１００では否定されるものとする。書込データ作成処理は、記録層２０に格納するための格納データを、記憶部１２Ｄまたは図示を省略したフロッピー（Ｒ）ディスク等の記憶媒体から抽出するとともに、抽出した格納データから表示データを生成する処理である。
【００４１】
格納データの抽出は、例えば、表示部１２Ｃに記憶部１２Ｄまたは図示を省略した記憶媒体に記憶された記憶データの一覧を表示し、ユーザに対して記録層２０に格納する格納データの選択を促す。そして、ユーザによる操作部１２Ｂの操作によって選択された記憶データを、記録層２０に格納するための格納データとして抽出すればよい。この抽出時には格納データの各々についての関係（例えばツリー構造）も得るものとする。
【００４２】
表示データは、表示層２２に表示するための、上記抽出された格納データに関連するデータであり、格納データ（または各々）を表すファイル名やシリアル番号等で表すことができる。次に、表示データを表示層２２に表示する形態が選択される。
【００４３】
この表示形態は、例えば、図６に示す、格納データの構成３２を表す格納データのツリー構成３０でもよいし、データ名のみを一行で表したり、名称や図形を含めたりする構成にしてもよい。このような表示形態は、ユーザによる操作部１２Ｂの操作によって予め定めた１または複数の形態から選択される。例えば、表示部１２Ｃにどのような形態で表示データを表示層２２に表示するかを選択するメニュー項目を表示する。そして、この表示されたメニュー項目について、ユーザに対して入力を促し、ユーザによる操作部１２Ｂの操作によって入力された表示形態を採用するようにすればよい。これらの格納データ（格納構造や位置を含む）、表示データ、及び表示形態は、書込データとして図示しないＲＡＭに記憶される。
【００４４】
次にステップ１０４では、データラベル付与処理が行なわれる。データラベル付与処理は、ステップ１０２で図示を省略したＲＡＭに記憶した書込データを読み込み、読み込んだ書込データに含まれる格納データ（１または複数データからなるデータ群）を特定可能なデータラベルを付与する処理である。すなわち、データラベルは、格納データの数量、種類、構造などを一意に識別するための識別子であり、一例には、データラベル付与処理を行なった日時や、シリアル番号、ユーザの指定値等がある。この付与されたデータラベルは、対応する格納データと表示データと共に、図示を省略したＲＡＭに記憶される。
【００４５】
なお、記憶データは、記憶データのファイル名などの名称で特定できる。従って、記憶データのファイル名、記憶位置や構造（他のデータとの関連やディレクトリなど）により、書込対象の記憶データを設定する設定ファイルを生成することで、書込データの対応関係を作成することができる。この設定ファイルを表すデータ（ファイル名などの名称）をデータラベルとしてもよい。
【００４６】
次のステップ１０６では、書込指示処理が行われる。書込指示処理は、データラベルに対応する書込みデータ、すなわち、格納データ及び表示データを記録メディア１８に格納するための書込指示データを、書込読取装置１６へ送信する処理である。書込指示データは、ＲＡＭに記憶されたデータラベル、該データラベルに対応する格納データ、格納データの構成、表示データ、表示形態、及び書込指示信号を含んで構成されている。
【００４７】
ステップ１０６では、格納データ及び表示データを記録メディア１８へ格納すべく、また表示データを記録メディア１８へ表示させるべく、データを順次送信する。この書込指示データによって、後述する書込読取装置１６で、格納データ及び表示データが記録メディア１８の記録層２０に格納され、表示データが表示層２２に書込まれる。この書込指示データは、図示を省略したＲＡＭに記憶される。
【００４８】
このため、記録メディア１８を上記ステップ１０６で書込指示を行ったＰＣ１２以外のＰＣで使用する場合であっても、記録メディア１８の記録層２０に格納された表示データを読み取ることによって、ＰＣで表示データを確認することができる。
【００４９】
なお、上記書込指示処理では、処理時間すなわち書込指示データを書込読取装置１６へ送信した時間を図示しない内蔵タイマから読み取る。
【００５０】
次にステップ１０８では、上述のデータラベルが付与された書込指示データを、記録テーブルとして記憶部１２Ｄに記憶する。記録テーブルは、１または複数の記憶データからなる格納データについて、記憶データ単位で格納項目として、記憶データの名称や記憶位置（ディレクトリ）を記憶するフィールドと、表示データ、表示形態、及び書込み日時からなるレコードを含み、このレコードに、データラベルが対応される。従って、データラベルをインデックスとして記録テーブルを検索することによって、データラベルに対応するレコードを得ることができる。
【００５１】
なお、ステップ１０２乃至ステップ１０６の各処理で生成されるデータは、逐次記憶部１２Ｄに記憶し、各処理時に必要に応じて記憶部１２Ｄから読み出して処理を行うようにしてもよい。
【００５２】
ステップ１０８の処理が終了すると、ステップ１１０へ進み、処理終了か否かを判断する。ステップ１１０で肯定されると、本ルーチンを終了し、否定されるとステップ１００へ戻る。
【００５３】
一方、データ更新を行う指示がなされ、上記ステップ１００で肯定された場合には、ステップ１１２へ進み、記録層２０に格納されている表示データ及びデータラベルを読み取る。この読み取った表示データ及びデータラベルは、図示を省略したＲＡＭに記憶される。
【００５４】
次のステップ１１４では、書込済データ項目抽出処理が行なわれる。書込済データ項目抽出処理は、格納済の格納データを把握するための処理であり、上記ステップ１１２で読み取ったデータラベルに対応する記録テーブルのレコードから、格納データの数量、種類、構成、そして表示データの形態を得る。
【００５５】
また、ステップ１１２乃至ステップ１１４の処理は、記録メディア１８から読み取ることなく、ユーザによる操作部１２Ｂのデータラベル入力値に基づいて行ってもよい。
【００５６】
また、ステップ１１２乃至ステップ１１４の処理は、記録メディア１８から表示データ及びデータラベルに加えて、格納データも併せて読み取り、読取った格納データから、格納データの数量、種類、構成、そして表示データの形態を得るようにしてもよい。
【００５７】
なお、上記ステップ１１４における検索時に、該当するデータラベルが記録テーブルに存在しない場合は、過去に処理した経歴のない記録メディア１８が書込読取装置１６に装着されたときである。この場合は、新規の処理であるため、上記ステップ１００で否定された場合と同様に、前記ステップ１０２へ進むようにしてもよい。
【００５８】
次にステップ１１６では、データ更新のための実質的な格納データによる書込データ作成処理が行なわれる。この書込データ作成処理では、データ更新する格納データ（記憶データ）について読み取り指示や消去指示により、書込みデータが作成される。例えば、上記ステップ１１２で読み取ったデータラベルに対応する格納データのファイル名一覧を表示して、追加、消去、更新などの変更するファイルについてユーザの指示を促す。そして、ユーザの操作によって指示された記憶データの名称や格納データにおける構成を、図示を省略したＲＡＭに記憶する。
【００５９】
このステップ１１６が終了した時点では、前回記録メディア１８に書込んだ格納データからの変更を含めた全ての記憶データ及びそれに関連するデータが設定完了している。すなわち、格納維持、消去、追加、内容変更などが記憶データ毎に設定される。
【００６０】
次のステップ１１８では、上記ステップ１１６で作成された書込データと、上記ステップ１１２で読み取ったデータラベルに対応する格納データとを比較する。この比較結果から、次のステップ１２０で記録メディア１８の記録層２０に記録する格納データ及び表示データ、及び表示層２２に書込む表示データの変更箇所を特定する。この変更箇所は、格納データを変更するためのデータ、すなわち、格納データの数量、種類、構成、表示データそして表示データの形態で表される。変更箇所は、図示を省略したＲＡＭに記憶される。
【００６１】
このステップ１２０では、前回、記録メディア１８に書込んだ格納データに含まれる記憶データのうち、格納を維持する以外の記憶データ、すなわち消去や追加などの記憶データを特定するとともに、その位置（及び構造）も特定し、差異を更新データとして生成する。これによって、前回からのデータ更新に該当する部分を抽出できる。同様に、前回、記録メディア１８に書き込んだ表示データに含まれるデータのうち、表示を維持する以外のデータ、すなわち消去や追加などの表示データを特定するとともに、その位置（及び構造）も特定し、差異を更新する表示データとして生成する。
【００６２】
ここで、上記ステップ１１８及びステップ１２０の処理における追加の例を模式的に説明する。図７には、記録媒体１８に格納されている格納データと、これから格納する格納データ（データ更新のための格納データ）とを比較して、変更箇所を特定する過程を模式的に示した。この例では、格納データとしてファイルＡ、ファイルＢ、及びファイルＣが記録層２０に格納されているものとする。また、表示データとして、ファイルＡの表示データ、ファイルＢの表示データ、及びファイルＣの表示データが表示層２０に表示されているものとする。また、新たに格納する格納データとして、ファイルＡ’、ファイルＢ、及びファイルＣがＰＣ１２に用意されているものとする。
【００６３】
まず、ステップ１１８に相当する差異検出処理部５０において、記録層２０に格納された格納データと、ＰＣ１２に用意されたデータ更新のための格納データとを比較し、これらのデータの差異を検出する差異検出処理を行う。この差異検出処理では、データ更新のための格納データ中に、既に格納データとして格納されているファイルが存在するか否かを判断する。この例では、ファイルＢが既に格納されているので、新たに格納するファイル（差異格納データ）として、ファイルＡ’及びファイルＤが特定される。
【００６４】
新たに格納するファイルが特定されると、特定されたファイルに基づいて、格納データを更新するための更新データに相当する、差異格納データと、表示データを更新するための表示データに相当する、差異表示データとが生成される。この例では、差異格納データとして、ファイルＡ’及びファイルＤが生成される。また、差異表示データとして、ファイルＡ’の表示データ及びファイルＤの表示データが生成される。
【００６５】
なお、この例では、格納データ及び表示データに含まれるファイルの追加の場合を説明したが、格納データ及び表示データに含まれるファイルを削除するようにしてもよい。
【００６６】
次にステップ１２２では、ＣＤ―Ｒ変更指示処理が行われる。ＣＤ−Ｒ変更指示処理では、上記ステップ１２０で特定された変更箇所のうち、記録メディア１８の格納データ及び表示データの変更部分であるＣＤ−Ｒ変更指示データを書込読取装置１６へ送信する。ＣＤ−Ｒ変更指示データは、変更箇所、更新データ、変更表示データ、及びＣＤ−Ｒ書込指示信号を含んで構成されている。更新データは、上記ステップ１１６で作成された記憶データの名称や格納データの構成に該当する。このＣＤ−Ｒ変更指示信号によって、後述する書込読取装置１６で、記録メディア１８の記録層２０に格納された格納データ及び表示データの変更が行なわれる。
【００６７】
次にステップ１２４では、ＥＰ変更指示処理が行なわれる。ＥＰ変更指示処理は、上記格納データの変更（更新）に対応して、表示層２２に書込まれてている表示データを変更するためのＥＰ変更指示データを書込読取装置１６へ送信する。このＥＰ変更指示データは、変更表示データ、及びＥＰ書込指示信号を含んで構成されている。このＥＰ変更指示データは、上記ステップ１２０で特定された変更箇所のうち、表示データについての変更部分に対応するもので、後述する書込読取装置１６で、表示層２２に表示される。
【００６８】
次に、ステップ１２６では、記憶部１２Ｄに記憶された記録テーブルを、更新して、ステップ１１０へ進む。ステップ１２６は、データラベルに対応するレコードを、変更箇所に基づいて更新する処理であり、前回記録されたレコードの各フィールドを修正したり、削除したり、追加したりして更新する。例えば、記憶データの名称や記憶位置（ディレクトリ）、表示データ、表示形態、及び書込み日時等を更新する。従って、記録テーブルはデータ更新毎に最新の状態に更新される。
【００６９】
なお、ステップ１１２乃至ステップ２４の処理で抽出または生成される各種データは、各処理毎に記憶部１２Ｄに記憶して、逐次読み出しを行うようにしてもよい。
【００７０】
また、上記ステップ１１８の処理が本発明の書込読取装置の検出手段の機能に相当する。また、上記ステップ１２０の処理が本発明の生成手段の機能に相当し、ステップ１２２乃至ステップ１２４の処理が本発明の制御手段の機能に相当する。また、ステップ１０８及びステップ１２６の処理が本発明の記憶手段の機能に相当する。
【００７１】
次に、書込読取装置１６における記録メディア１８へのデータの書込み処理を説明する。
【００７２】
書込読取装置１６に電源が投入され、記録メディア１８が装着されると、図５に示す処理ルーチンが実行され、ステップ２００に進む。ステップ２００では、ＰＣ１２から信号を受信するまで否定判断を繰り返し、肯定されると、ステップ２０２へ進む。ステップ２０２では、受信した信号がデータラベル読取信号か否かを判断し、受信した信号がデータラベル読取指示ではない場合、ステップ２０４へ進み、ＣＤ−Ｒ書込データ把握処理が行なわれる。
【００７３】
ステップ２０４では、受信した信号から、記録メディア１８の記録層２０へ書き込むための格納データ及び表示データを把握する。この把握は、格納データ、格納データの構成、及び表示データである。このステップ２０４では、新規に格納データ及び表示データを格納する場合と、格納済の格納データ及び表示データに対して更新するために格納する場合の把握がある。新規の場合には、全ての格納データ及び表示データについて上記書込指示により書込むため、全データとして処理を続行する。一方、更新するために格納する場合には、格納済の格納データ及び表示データについて、消去や変更、そして記憶データの追加を把握して、次処理へ移行する。
【００７４】
次のステップ２０６では、上記ステップ２０４で把握された格納データ（格納データの構成を含む）及び表示データを記録層２０に書き込む。このステップ２０６では、駆動装置４６によりモータ４０及び光ピックアップ４２が駆動されて、光ピックアップ４２からのレーザー光により、記録層２０に格納データ及び表示データが格納される。従って、新規の場合には全格納データ及び表示データが書込まれ、更新の場合には、該当箇所について追加、変更、消去などがなされる。
【００７５】
次にステップ２０８では、ＥＰ書込データ把握処理が行なわれる。ＥＰ書込データ把握処理は、受信した信号から表示層２２に表示するための表示データ及び表示形態または変更表示データ及び表示形態を抽出する処理である。このステップ２０８は、上記ステップ２０４と同様に、新規の場合と更新の場合の２種類の把握がある。新規の場合は、全表示データを表示層２２へ書込むため次処理へ移行し、更新の場合は、指示された変更箇所を書込むべく処理を続行する。
【００７６】
次のステップ２１０では、把握した表示データを、表示形態に基づいて表示層２２に書込む。表示データを表示層２２に書込むＥＰ書込処理では、表示データをスイッチング素子３２に表示するとともに、光源３０から光を照射して、レンズ３４を介してスイッチング素子３２に表示された表示データを表す画像を表示層２２へ照射する。従って、新規の場合は、表示データが全て書込まれ、更新の場合には、該当箇所について、追加、変更、消去などがなされる。
【００７７】
ステップ２１０の処理が終了すると、ステップ２１２へ進み、終了か否かを判断し、肯定されると、本ルーチンを終了し、否定されるとステップ２００へ戻る。
【００７８】
一方、上記ステップ２０２で肯定判定され、ＰＣ１２からメディア読取指示がなされた場合は、ステップ２１４へ進み、記録メディア１８の記録層２０に格納されたデータラベル及び表示データを読み取り、次のステップ２１６において、読みとったデータラベル及び表示データをＰＣ１２へ送信した後に、ステップ２１２へ進む。
【００７９】
以上説明したように、本実施の形態では、記録メディア１８の記録層２０に格納データを書き込むともに、記録メディア１８に積層された表示層２２に、記録層２０に格納された格納データを容易に把握可能な表示データを書き込む。従って、表示層２２に表示された表示データによって、記録層２０に格納した格納データを容易かつ正確に把握することができる。
【００８０】
なお、上記ステップ２０６の処理が本発明の書込読取装置の格納手段の機能に相当し、ステップ２１０の処理が本発明の書込手段の機能に相当する。
【００８１】
また、本発明は、上記の実施の形態に限られるものではない。例えば、本実施の形態では、本発明をＰＣ１２と書込読取装置１６とから構成される書込読取システム１０に適用した場合を説明したが、書込読取装置１６の機能をＰＣ１２に設けた一体型の構成としてもよい。
【００８２】
更に、本実施の形態では、記録メディア１８としてＣＤ−ＲＷに光記録媒体が積層された構成を説明したが、記録メディア１８として、ＣＤ−Ｒ及びＤＶＤ等を使用してもよい。
【００８３】
また、上記実施の形態では、光照射による表示層２２について説明したが、書込み及び消去が可能な他の表示材料を表示層２２として積層した記録メディア１８を形成して用いても良い。この場合の表示層２２に対する、書込、及び消去などの処理機構は、その表示材料の特性に合わせて形成すればよい。
【００８４】
【発明の効果】
以上説明したように、本発明の記録媒体及び書込読取装置によれば、格納層と表示層とを積層した記録媒体の格納層に格納データを書き込むとともに、格納データの内容を表す表示データを表示層に書き込むので、記録媒体に格納した格納データを容易かつ正確に把握することができる。
【図面の簡単な説明】
【図１】本実施の形態に係る書込読取システムの全体構成を示したものである。
【図２】本実施の形態に係る記録メディアの断面図の一例を示したものである。
【図３】本実施の形態に係る書込読取システムの主要構成を示すブロック図である。
【図４】本発明の実施の形態に係る書込読取システムにおけるＰＣの処理の流れを示すフローチャートである。
【図５】本発明の実施の形態に係る書込読取システムにおける書込読取装置の処理の流れを示すフローチャートである。
【図６】本発明の実施の形態に係る記録媒体に表示された表示データの一例を示す模式図である。
【図７】本発明の実施の形態に係る記録媒体に格納されている格納データ及び表示データを更新するときの差異抽出過程を説明するための模式図である。
【符号の説明】
１６  書込読取装置
１８  記録メディア
【図１】
2004164764.tif 000003
【図２】
2004164764.tif 000004
【図３】
2004164764.tif 000005
【図４】
2004164764.tif 000006
【図５】
2004164764.tif 000007
【図６】
2004164764.tif 000008
【図７】
2004164764.tif 000009